(57)【要約】【課題】本発明は付け爪用両面テープ本体の剥離用台紙から外す場合に、該付け爪用両面テープ本体の粘着面に爪の先や指先が接触することなく行なうことができるとともに、付け爪用両面テープ本体の一部を剥離用台紙に粘着させた状態で、容易に爪に取付けることができる付け爪用両面テープを得るにある。【解決手段】剥離用台紙と、この剥離用台紙に粘着固定された剥離紙で覆われた複数個の付け爪用両面テープ本体と、この複数個の付け爪用両面テープ本体の一部の端部を、前記剥離用台紙より外すことができるように、該剥離用台紙に形成されたスリットとで付け爪用両面テープを構成している。【選択図】  図１
2004209062.tif 000002
【特許請求の範囲】
【請求項１】
剥離用台紙と、この剥離用台紙に粘着固定された剥離紙で覆われた複数個の付け爪用両面テープ本体と、この複数個の付け爪用両面テープ本体の一部の端部を、前記剥離用台紙より外すことができるように、該剥離用台紙に形成されたスリットとからなることを特徴とする付け爪用両面テープ。
【請求項２】
長方形状の剥離用台紙と、この剥離用台紙に並列状態で粘着固定された剥離紙で覆われた親指から小指用の少なくとも５個の付け爪用両面テープ本体と、この少なくとも５個の付け爪用両面テープ本体の一部である根元部分を前記剥離用台紙より外すことができるように、該剥離用台紙に形成されたスリットとからなることを特徴とする付け爪用両面テープ。
【請求項３】
透明あるいは半透明材製の剥離用台紙と、この剥離用台紙に粘着固定された剥離紙で覆われた複数個の付け爪用両面テープ本体と、この複数個の付け爪用両面テープ本体の一部の端部を、前記剥離用台紙より外すことができるように、該剥離用台紙に形成されたスリットとからなることを特徴とする付け爪用両面テープ。
【請求項４】
長方形状の剥離用台紙と、この剥離用台紙に２列の並列状態で粘着固定された剥離紙で覆われた親指から小指用で、根元部分が外側に位置する１０個の付け爪用両面テープ本体と、この１０個の付け爪用両面テープ本体の一部である根元部分を前記剥離用台紙より外すことができるように、該剥離用台紙両外側寄りの部位に形成されたスリットとからなることを特徴とする付け爪用両面テープ。
【発明の詳細な説明】
【０００１】
【発明の属する技術分野】
本発明は付け爪を取付ける場合に使用される付け爪用両面テープに関する。
【０００２】
【従来の技術】
従来の付け爪用両面テープは長方形状の剥離用台紙と、この剥離用台紙に並列状態に覆われた、親指から小指用の５個の付け爪用両面テープ本体とで構成されている。
【０００３】
【発明が解決しようとする課題】
従来の付け爪用両面テープは付け爪用両面テープ本体を剥離用台紙より外し、爪に粘着面を粘着固定した後、付け爪め用両面テープ本体の剥離紙を除去して付け爪を粘着固定している。
このため、付け爪用両面テープ本体の剥離用台紙から外す場合に、爪の先や指先が付け爪用両面テープ本体の粘着面に接触し、該部を汚したり、粘着効果が低下する等の不具合が生じるという欠点があった。
【０００４】
本発明は以上のような従来の欠点に鑑み、付け爪用両面テープ本体の剥離用台紙から外す場合に、該付け爪用両面テープ本体の粘着面に爪の先や指先が接触することなく行なうことができるとともに、付け爪用両面テープ本体の一部を剥離用台紙に粘着させた状態で、容易に爪に取付けることができる付け爪用両面テープを提供することを目的としている。
【０００５】
本発明の前記ならびにそのほかの目的と新規な特徴は次の説明を添付図面と照らし合わせて読むと、より完全に明かになるであろう。
ただし、図面はもっぱら解説のためのものであって、本発明の技術的範囲を限定するものではない。
【０００６】
【課題を解決するための手段】
上記目的を達成するために、本発明は剥離用台紙と、この剥離用台紙に粘着固定された剥離紙で覆われた複数個の付け爪用両面テープ本体と、この複数個の付け爪用両面テープ本体の一部の端部を、前記剥離用台紙より外すことができるように、該剥離用台紙に形成されたスリットとで付け爪用両面テープを構成している。
【０００７】
【発明の実施の形態】
以下、図面に示す実施の形態により、本発明を詳細に説明する。
【０００８】
図１ないし図８に示す本発明の第１の実施の形態において、１は本発明の付け爪用両面テープで、この付け爪用両面テープ１は長方形状の剥離用台紙２と、この剥離用台紙２に並列状態で粘着固定された剥離紙３Ａ、３Ｂ、３Ｃ、３Ｄ、３Ｅで覆われた、親指から小指用の５個の付け爪用両面テープ本体４Ａ、４Ｂ、４Ｃ、４Ｄ、４Ｅと、この付け爪用両面テープ本体４Ａ、４Ｂ、４Ｃ、４Ｄ、４Ｅの一部である根元部分４ａ、４ｂ、４ｃ、４ｄ、４ｅを前記剥離用台紙２より外すことができるように、該剥離用台紙２に形成されたスリット５とで構成されている。
【０００９】
上記構成の付け爪用両面テープ１は使用する場合には、図６に示すように付け爪用両面テープ本体４Ａ、４Ｂ、４Ｃ、４Ｄ、４Ｅの先端部側を剥離用台紙２とともに摘み、スリット５の外側に位置する剥離用台紙２の端部を下方へ押し下げることにより、付け爪用両面テープ本体４Ａ、４Ｂ、４Ｃ、４Ｄ、４Ｅの根元部分４ａ、４ｂ、４ｃ、４ｄ、４ｅの剥離用台紙２が除去される。
【００１０】
この状態で、付け爪用両面テープ本体４Ａ、４Ｂ、４Ｃ、４Ｄ、４Ｅを取付ける爪６Ａ、６Ｂ、６Ｃ、６Ｄ、６Ｅに付け爪用両面テープ本体４Ａ、４Ｂ、４Ｃ、４Ｄ、４Ｅの剥離用台紙２が除去された根元部分４ａ、４ｂ、４ｃ、４ｄ、４ｅを図７に示すように位置させて粘着させ、残った剥離用台紙２が付け爪用両面テープ本体４Ａ、４Ｂ、４Ｃ、４Ｄ、４Ｅから外れるようにひねることにより、剥離用台紙２より付け爪用両面テープ本体４Ａ、４Ｂ、４Ｃ、４Ｄ、４Ｅが外れ、爪６Ａ、６Ｂ、６Ｃ、６Ｄ、６Ｅに付け爪用両面テープ本体４Ａ、４Ｂ、４Ｃ、４Ｄ、４Ｅを粘着固定できる。
なお、この付け爪用両面テープ本体４Ａ、４Ｂ、４Ｃ、４Ｄ、４Ｅの爪６Ａ、６Ｂ、６Ｃ、６Ｄ、６Ｅへの取付けは、各爪ごとに順次行なう。
このように爪６Ａ、６Ｂ、６Ｃ、６Ｄ、６Ｅに粘着固定された付け爪用両面テープ本体４Ａ、４Ｂ、４Ｃ、４Ｄ、４Ｅは、従来と同様に剥離紙３Ａ、３Ｂ、３Ｃ、３Ｄ、３Ｅを除去して、図８に示すように付け爪７Ａ、７Ｂ、７Ｃ、７Ｄ、７Ｅを粘着面に粘着固定することができる。
【００１１】
【発明の異なる実施の形態】
次に、図９ないし図２９に示す本発明の異なる実施の形態につき説明する。なお、これらの本発明の異なる実施の形態の説明に当って、前記本発明の第１の実施の形態と同一構成部分には同一符号を付して重複する説明を省略する。
【００１２】
図９ないし図１１に示す本発明の第２の実施の形態において、前記本発明の第１の実施の形態と主に異なる点は、２倍の幅寸法の剥離用台紙２Ａと、この剥離用台紙２Ａに２列の並列状態で粘着固定された付け爪用両面テープ本体４Ａ、４Ｂ、４Ｃ、４Ｄ、４Ｅ、４Ａ、４Ｂ、４Ｃ、４Ｄ、４Ｅと、前記剥離用台紙２Ａに形成された２個のスリット５、５とを用いた点で、このように構成した付け爪用両面テープ１Ａにしても、前記本発明の第１の実施の形態と同様な作用効果が得られる。
【００１３】
図１２ないし図１４に示す本発明の第３の実施の形態において、前記本発明の第２の実施の形態と主に異なる点は、付け爪用両面テープ本体４Ａ、４Ｂ、４Ｃ、４Ｄ、４Ｅ、４Ａ、４Ｂ、４Ｃ、４Ｄ、４Ｅ間のスリット５、５までの外側に位置する剥離用台紙２Ａに除去用のスリット８、８、８、８、８、８、８、８を形成した点で、このように構成した付け爪用両面テープ１Ｂにしても、前記本発明の第２の実施の形態と同様な作用効果が得られるとともに、１個の付け爪用両面テープ本体部位の剥離用台紙を除去して取付けることができ、より楽に取付ける作業を行なうことができる。
【００１４】
図１５ないし図１７に示す本発明の第４の実施の形態において、前記本発明の第２の実施の形態と主に異なる点は、透明あるいは半透明材製の剥離用台紙２Ｂを用いた点で、このような剥離用台紙２Ｂを用いて構成した付け爪用両面テープ１Ｃにしても、前記本発明の第２の実施の形態と同様な作用効果が得られるとともに、取付け時に爪の輪郭を確認しながら行なうことができ、より正確に取付けることができる。
【００１５】
図１８ないし図２０に示す本発明の第５の実施の形態において、前記本発明の第３の実施の形態と主に異なる点は、円盤状の剥離用台紙２Ｃを用い、円周状に付け爪用両面テープ本体４Ａ、４Ｂ、４Ｃ、４Ｄ、４Ｅ、４Ａ、４Ｂ、４Ｃ、４Ｄ、４Ｅを粘着固定するとともに、リング状のスリット５Ａと除去用のスリット８、８、８、８、８、８、８、８、８、８を形成した点で、このように構成した付け爪用両面テープ１Ｄにしても、前記本発明の第３の実施の形態と同様な作用効果が得られる。
【００１６】
図２１ないし図２３に示す本発明の第６の実施の形態において、前記本発明の第５の実施の形態と主に異なる点は、剥離用台紙２Ｃに先端部か外周部に位置するように付け爪用両面テープ本体４Ａ、４Ｂ、４Ｃ、４Ｄ、４Ｅ、４Ａ、４Ｂ、４Ｃ、４Ｄ、４Ｅを粘着固定した点で、このように構成した付け爪用両面テープ１Ｅにしても、前記本発明の第５の実施の形態と同様な作用効果が得られる。
【００１７】
図２４ないし図２６に示す本発明の第７の実施の形態において、前記本発明の第３の実施の形態と主に異なる点は、トラック形状の付け爪用両面テープ本体９Ａ、９Ｂ、９Ｃ、９Ｄ、９Ｅ、９Ａ、９Ｂ、９Ｃ、９Ｄ、９Ｅを用いた点で、このように構成した付け爪用両面テープ１Ｆにしても、前記本発明の第３の実施の形態と同様な作用効果が得られる。
【００１８】
図２７ないし図２９に示す本発明の第８の実施の形態において、前記本発明の第３の実施の形態と主に異なる点は、除去片１０を一体形成した剥離紙３Ａ、３Ｂ、３Ｃ、３Ｄ、３Ｅ、３Ａ、３Ｂ、３Ｃ、３Ｄ、３Ｅを用いた付け爪用両面テープ本体１１Ａ、１１Ｂ、１１Ｃ、１１Ｄ、１１Ｅ、１１Ａ、１１Ｂ、１１Ｃ、１１Ｄ、１１Ｅを用いた点で、このように構成した付け爪用両面テープ１Ｇにしても、前記本発明の第３の実施の形態と同様な作用効果が得られるとともに、爪に取付け後の剥離紙３Ａ、３Ｂ、３Ｃ、３Ｄ、３Ｅを除去片１０を持って、容易に除去することができる。
【００１９】
【発明の効果】
以上の説明から明らかなように、本発明にあっては次に列挙する効果が得られる。
【００２０】
（１）剥離用台紙と、この剥離用台紙に粘着固定された剥離紙で覆われた複数個の付け爪用両面テープ本体と、この複数個の付け爪用両面テープ本体の一部の端部を、前記剥離用台紙より外すことができるように、該剥離用台紙に形成されたスリットとで構成されているので、使用時に剥離用台紙に形成されたスリットにより、外側部位を除去することにより付け爪用両面テープ本体の一部の端部を剥離用台紙より外すことができる。
したがって、剥離用台紙が除去された部分の付け爪用両面テープ本体を爪に粘着固定した後、残っている剥離用台紙を除去することにより、爪に付け爪用両面テープ本体を爪の先や指先を粘着面に接触することなく取付けることができる。
【００２１】
（２）前記（１）によって、爪への取付け時に粘着面に爪の先や指先が付着しないので、爪の先や指先が汚れたり、粘着面の粘着力を低下させるような汚れ等を付けるのを確実に阻止することができる。
したがって、確実に爪に、付け爪用両面テープ本体を粘着固定することができる。
【００２２】
（３）前記（１）によって、剥離用台紙にスリットを形成するだけでよいので、製造が容易で、安価に製造することができる。
【００２３】
（４）請求項２、３、４も前記（１）〜（３）と同様な効果が得られる。
【図面の簡単な説明】
【図１】本発明の第１の実施の形態の平面図。
【図２】本発明の第１の実施の形態の正面図。
【図３】本発明の第１の実施の形態の側面図。
【図４】本発明の第１の実施の形態の底面図。
【図５】図１の５−５線に沿う拡大断面図。
【図６】スリットの外側の剥離用台紙の除去説明図。
【図７】爪に付け爪用両面テープ本体の取付け状態の説明図。
【図８】付け爪の取付け状態の説明図。
【図９】本発明の第２の実施の形態の平面図。
【図１０】本発明の第２の実施の形態の正面図。
【図１１】本発明の第２の実施の形態の底面図。
【図１２】本発明の第３の実施の形態の平面図。
【図１３】本発明の第３の実施の形態の正面図。
【図１４】一部の剥離用台紙を除去した状態の説明図。
【図１５】本発明の第４の実施の形態の平面図。
【図１６】本発明の第４の実施の形態の正面図。
【図１７】本発明の第４の実施の形態の底面図。
【図１８】本発明の第５の実施の形態の平面図。
【図１９】本発明の第５の実施の形態の正面図。
【図２０】本発明の第５の実施の形態の底面図。
【図２１】本発明の第６の実施の形態の平面図。
【図２２】本発明の第６の実施の形態の正面図。
【図２３】本発明の第６の実施の形態の底面図。
【図２４】本発明の第７の実施の形態の平面図。
【図２５】本発明の第７の実施の形態の正面図。
【図２６】本発明の第７の実施の形態の底面図。
【図２７】本発明の第８の実施の形態の平面図。
【図２８】本発明の第８の実施の形態の正面図。
【図２９】付け爪用両面テープ本体の説明図。
【符号の説明】
１、１Ａ、１Ｂ、１Ｃ、１Ｄ、１Ｅ、１Ｆ、１Ｇ：付け爪用両面テープ、
２、２Ａ、２Ｂ、２Ｃ：剥離用台紙、
３Ａ、３Ｂ、３Ｃ、３Ｄ、３Ｅ：剥離紙、
４Ａ、４Ｂ、４Ｃ、４Ｄ、４Ｅ：付け爪用両面テープ本体、
５、５Ａ：スリット、
６Ａ、６Ｂ、６Ｃ、６Ｄ、６Ｅ：爪、
７Ａ、７Ｂ、７Ｃ、７Ｄ、７Ｅ：付け爪、
８：除去用のスリット、
９Ａ、９Ｂ、９Ｃ、９Ｄ、９Ｅ：付け爪用両面テープ本体、
１０：除去片、
１１Ａ、１１Ｂ、１１Ｃ、１１Ｄ、１１Ｅ：付け爪用両面テープ本体。
【図１】
2004209062.tif 000003
【図２】
2004209062.tif 000004
【図３】
2004209062.tif 000005
【図４】
2004209062.tif 000006
【図５】
2004209062.tif 000007
【図６】
2004209062.tif 000008
【図７】
2004209062.tif 000009
【図８】
2004209062.tif 000010
【図９】
2004209062.tif 000011
【図１０】
2004209062.tif 000012
【図１１】
2004209062.tif 000013
【図１２】
2004209062.tif 000014
【図１３】
2004209062.tif 000015
【図１４】
2004209062.tif 000016
【図１５】
2004209062.tif 000017
【図１６】
2004209062.tif 000018
【図１７】
2004209062.tif 000019
【図１８】
2004209062.tif 000020
【図１９】
2004209062.tif 000021
【図２０】
2004209062.tif 000022
【図２１】
2004209062.tif 000023
【図２２】
2004209062.tif 000024
【図２３】
2004209062.tif 000025
【図２４】
2004209062.tif 000026
【図２５】
2004209062.tif 000027
【図２６】
2004209062.tif 000028
【図２７】
2004209062.tif 000029
【図２８】
2004209062.tif 000030
【図２９】
2004209062.tif 000031